(57)【要約】      （修正有）【課題】安定性に優れ、かつ、植物で覆う領域の制限が従来よりも少ない門柱に関する技術を提供する。【解決手段】格子体からなる、前面部、後面部、及び２つの側面部を含み、門柱の付属物が取り付けられ、かつ、植物が絡む本体部と、前記本体部の下部に設けられ、門柱を支持する支持部と、を備える。支持部は、地中に埋設される棒状部材であって、一端が本体部の前面部の下端と接続され、他端が本体部の後面部の下端と接続される棒状部材を含む。【選択図】図１
2018012998.tif 000002
【特許請求の範囲】
【請求項１】
格子体からなる、前面部、後面部、及び２つの側面部を含み、門柱の付属物が取り付けられ、かつ、植物が絡む本体部と、
前記本体部の下部に設けられ、門柱を支持する支持部と、を備える門柱。
【請求項２】
前記本体部の下部は、地中に埋設され、
前記支持部は、地中に埋設される棒状部材であって、一端が本体部の前面部の下端と接続され、他端が本体部の後面部の下端と接続される棒状部材を含む、請求項１に記載の門柱。
【請求項３】
植物を生育する植生基盤であって、当該門柱の設置場所の地表面よりも高い位置に充填され、当該設置場所の地盤と連通する植生基盤と、
前記植生基盤の周囲を覆うマットと、を更に備える、請求項２に記載の門柱。
【請求項４】
前記本体部は、当該門柱の設置場所の地表面と対向し、当該本体部の下面を形成する、格子体からなる下面部を更に含み、
前記支持部は、前記下面部の内側から地中に伸びるアンカー部を含み、
前記門柱は、
植物を生育する植生基盤と、
前記本体部の下方の内側に設けられ、前記植生基盤を内包するマットと、を更に備える、請求項１に記載の門柱。
【請求項５】
前記本体部は、格子体の格子の開口よりも大きい開口部を更に含む、請求項１から４の何れか１項に記載の門柱。
【発明の詳細な説明】
【技術分野】
【０００１】
本発明は、門柱に関する。
【背景技術】
【０００２】
住宅などの外構に設けられる門柱がある。例えば、特許文献１には、左右に間隔をおいて立設された支柱に支持されて、多数の縦線材と横線材とからなる格子体がその間に空間部を設けて前後に配置され、前側に配置された前格子体の縦線材又は横線材に第一の付加物が取付けられ、前格子体と後側に配置された後格子体との間に空間部を通過して第二の付加物が架設された門柱が開示されている。
【先行技術文献】
【特許文献】
【０００３】
【特許文献１】特開２０１０−２２２８６１号公報
【発明の概要】
【発明が解決しようとする課題】
【０００４】
門柱の一例として、表札、照明、ポスト、インターホン等の門柱に取付ける付加物を上下左右の任意の位置に取り付け可能とするため、多数の縦線材と横線材とからなる格子体を用いた門柱がある。一方で、都市部の緑化が求められており、門柱を緑化することができれば、都市部を緑化する選択肢を増やすことができる。特許文献１に記載の技術においても、格子体に植木鉢を引っ掛けたり、植物を地植えしたり、格子体の下端と地表との間にプランタを配置することで、格子体を植物で覆うことができる。しかしながら、特許文献１に記載の門柱は、支柱により安定的に門柱を支持することができるものの、格子体の側面に支柱が設置されているため、植物で覆う領域が制限される。
【０００５】
本発明は、上記の問題に鑑み、安定性に優れ、かつ、植物で覆う領域の制限が従来よりも少ない門柱に関する技術を提供することを課題とする。
【課題を解決するための手段】
【０００６】
上記課題を解決するため、本発明は、門柱の下部に門柱を支持する支持部を設けることとした。
【０００７】
より詳細には、本発明は、格子体からなる、前面部、後面部、及び２つの側面部を含み、門柱の付属物が取り付けられ、かつ、植物が絡む本体部と、本体部の下部に設けられ、門柱を支持する支持部と、を備える門柱である。
【０００８】
本発明に係る門柱は、本体部が格子体で構成されているため、門柱の付属物の取り付けが容易であり、また、取付位置を自由に選択することができる。また、格子体に植物を絡ませることで、門柱を緑化することができる。また、門柱は、本体部の下部（門柱の下部）で支持されることから、例えば、格子体の側面に支柱が設置される場合と比較して、植物で覆う領域が制限され難い。換言すると、門柱の付属物が取り付けられる領域以外を植物で覆うことができる。門柱の安定性は、本体部の下部に設けられた支持部で確保することができる。
【０００９】
格子体は、線状の部材を縦横に、間隔をあけて組んだもので構成することができる。門柱の付属物は、門柱に取り付けられるものであり、ポスト、インターホン、表札、照明、宅配ボックス等が例示される。本体部に絡ませる植物は、格子体の近傍（門柱の内側又は外側）の地盤に植生することができる。植物を植生する地盤は、既存の土に代えて、例えば、保水性の高い軽量土壌を用いてもよい。
【００１０】
ここで、前記本体部の下部は、地中に埋設され、前記支持部は、地中に埋設される棒状部材であって、一端が本体部の前面部の下端と接続され、他端が本体部の後面部の下端と接続される棒状部材を含むようにしてもよい。
【００１１】
本発明に係る門柱では、地中に埋設された本体部の下部と、棒状部材が、支持部として機能する。その結果、支柱を用いることなく門柱を支持することができる。また、支持部としての棒状部材を備えることで、門柱の傾きが抑制され、門柱の安定性がより向上する。なお、支持部は、一端が本体部の一方の側面部の下端と接続され、他端が本体部の他方の側面部の下端と接続される棒状部材を更に含むようにしてもよい。これにより、門柱の安定性をより向上することができる。
【００１２】
また、本発明に係る門柱は、植物を生育する植生基盤であって、当該門柱の設置場所の地表面よりも高い位置に充填され、当該設置場所の地盤と連通する植生基盤と、前記植生基盤の周囲を覆うマットと、を更に備えるものでもよい。
【００１３】
本発明に係る門柱は、植生基盤が門柱の設置場所の地盤と連通することで、植物に栄養や水分を供給するための植生基盤のボリュームを増やすことができる。すなわち、植物の生育環境をより向上することができる。マットは、植生基盤が本体部の外部へ漏れるのを抑制する。マットに切り込みを形成して、切り込みに植物を植え付けるようにしてもよい。これにより、マットを配置した領域も緑化することができる。
【００１４】
また、前記本体部は、当該門柱の設置場所の地表面と対向し、当該本体部の下面を形成する、格子体からなる下面部を更に含み、前記支持部は、前記下面部の内側から地中に伸びるアンカー部を含み、前記門柱は、植物を生育する植生基盤と、前記本体部の下方の内側に設けられ、前記植生基盤を内包するマットと、を更に備えるものでもよい。
【００１５】
本発明に係る門柱では、門柱の設置場所の地表面と対向する本体部の下面部と、アンカー部が、支持部として機能する。その結果、支柱を用いることなく、門柱の安定性を確保することができる。本発明に係る門柱は、例えば、門柱の設置場所への植物の植生が困難な場合に有用である。門柱の設置場所への植物の植生が困難な場合には、門柱から道路境界までの距離が短く植物を植生するスペースの確保が困難な場合、門柱の設置場所に石が敷き詰められている場合、門柱の設置場所がコンクリートで構成されている場合が例示される。本発明に係る門柱は、植生基盤及びマットを更に備えることで、門柱の設置場所への植物の植生が困難な場合でも、門柱を緑化することができる。
【００１６】
また、前記本体部は、格子体の格子の開口よりも大きい開口部を更に含むものでもよい。これにより、門柱の内側へのアクセスが容易となる。その結果、門柱を設置する際の内側への植生基盤の充填、植物の植え付け、植物の手入れなどの作業性が向上する。なお、開口部に代えて、本体部は、その一部を取り外し自在に構成してもよい。
【００１７】
また、本発明は、上述した門柱と、当該門柱に隣接して設置される、格子体からなる開閉自在な門扉とを含む外構システムとして特定することもできる。また、本発明に係る外構システムは、更に格子体からなるフェンスを更に備えるものでもよい。格子体からなる門扉やフェンスを備えることで、外構全体の統一性を図りつつ、外構全体を緑化することができる。
【００１８】
また、本発明は、上述した門柱や外構システムの施工方法（製造方法）として特定してもよい。例えば、本発明は、門柱の設置場所を掘削する掘削工程と、前記掘削工程後、門柱を設置する設置工程と、前記設置工程後、埋め戻して門柱を埋設する埋設工程と、門柱の近傍に植物を植生する植生工程とを含む、門柱の施工方法である。本発明によれば、安定性に優れた門柱を容易に設置することができる。
【発明の効果】
【００１９】
本発明によれば、安定性に優れ、かつ、植物で覆う領域の制限が従来よりも少ない門柱に関する技術を提供することができる。
【図面の簡単な説明】
【００２０】
【図１】図１は、第１実施形態に係る門柱及び門扉の斜視図を示す。
【図２】図２は、第１実施形態に係る門柱及び門扉の平面図を示す。
【図３】図３は、第１実施形態に係る門柱及び門扉の正面図を示す。
【図４】図４は、第１実施形態に係る門柱の側面図を示す。
【図５】図５は、図３のＡ−Ａ断面図を示す。
【図６】図６は、第１実施形態に係る照明の取り付け態様の一例の平面図を示す。
【図７】図７は、第１実施形態に係る照明の取り付け態様の一例の正面図を示す。
【図８】図８は、第１実施形態に係る照明を取り付ける際に用いる取付金具の斜視図を示す。
【図９】図９は、第１実施形態に係る外構システムの施工フローを示す。
【図１０】図１０は、第２実施形態に係る門柱の正面図を示す。
【図１１】図１１は、第２実施形態に係る門柱の側面図を示す。
【図１２】図１２は、図１０のＢ−Ｂ断面図を示す。
【図１３】図１３は、変形例に係る門柱の断面図を示す。
【図１４】図１４は、変形例に係る門柱の後面図を示す。
【発明を実施するための形態】
【００２１】
次に、本発明の第１実施形態について図面に基づいて説明する。以下の説明は例示であり、本発明は以下の内容に限定されるものではない。
【００２２】
＜第１実施形態＞
＜外構システム＞
図１から図５に示すように、第１実施形態に係る外構システム１は、門柱２と門扉３とを含む。門柱２と門扉３は、全体が金網で構成され、植物が絡むことで、緑化する。なお、第１実施形態では、門柱２を門扉３と共に用いる態様について説明するが、門柱２や門扉３は、夫々単体で用いてもよい。また、更に外構システム１は、門柱２や門扉３と同種の金網で構成されたフェンスを更に含むものでもよい。
【００２３】
＜門柱＞
門柱２は、平板状の金網で構成された箱形形状の本体部２１、本体部２１に接続された門柱の付属物としての、表札２２、インターホン２３、及びポスト２４を含む。
【００２４】
本体部２１は、奥行き方向よりも幅方向が長く形成された６面体である。本体部２１は、対向する門柱の前面金網２１１及び門柱の後面金網２１２、門柱の前面金網２１１と門柱の後面金網２１２と直交し、かつ、これらの側方の端部に連なる２つの門柱の側面金網２１３，２１４、門柱の前面金網２１１、門柱の後面金網２１２、及び門柱の側面金網２１３，２１４と直交し、かつ、これらの上端部に連なる門柱の上面金網２１５とを含む。門柱の上面金網２１５を省略し、本体部２１の上方を開放してもよい。本体部２１を構成する金網は、亜鉛とアルミニウム合金メッキの鉄線で構成されている。なお、本体部２１を構成する金網は、立体的なもの、例えば、格子を構成する縦部材又は横部材に対して折り曲げ加工が施されることで波状に形成されたものや、三角トラス構造に織られたものでもよい。立体的な金網を用いることで、植物がより絡みやすくなる。
【００２５】
本体部２１の下部は、地中に埋設され、後述する根かせ２５と共に、本発明の支持部として機能する。本体部２１の地中に埋設される領域、より詳細には本体部２１の下端には、門柱２の傾きを抑制するための根かせ２５が設けられている（図１、図５参照）。根かせ２５は、本発明の支持部（棒状部材）の一例であり、亜鉛とアルミニウム合金メッキの２本の鉄線で構成されている。本第１実施形態の根かせ２５は、一端が門柱の前面金網２１１の下端に接続され、他端が門柱の後面金網２１２の下端に接続されている。
【００２６】
表札２２、インターホン２３、及びポスト２４は、本発明の門柱の付属物の一例であり、本体部２１に溶接するか、取付金具等により取り付けられている。表札２２及びインターホン２３は、門柱の前面金網２１１の外側上部に並んで平板状の受板が溶接されており、平板上の受板に取付自在である。インターホン２３が取り付けられる側の門柱の側面金網２１３の内側には、インターホン２３の電気配線（図示せず）を収容するらせん状の配線コイル２６が取り付けられている。また、インターホン２３の裏側には、インターホン２３の電気配線を配線コイル２６に誘導するＲ状のエルボ２７が取り付けられている。ポスト２４は、ポストの形状に合わせて折り曲げ加工が施されたポストの受板２８に固定されている。ポストの受板２８は、門柱の前面金網２１１と門柱の後面金網２１２にねじ、ワッシャー、及びナットからなる固定部材２９で固定されている。
【００２７】
なお、門柱の付属物には、上記の他、照明や宅配ボックスが例示される。例えば、照明４は、本体部２１に対して容易に取り外し自在としてもよい。ここで、図６は、第１実施形態に係る照明の取り付け態様の一例の平面図、図７は、第１実施形態に係る照明の取り付け態様の一例の正面図を示す。また、図８は、第１実施形態に係る照明を取り付ける際に用いる取付金具の斜視図を示す。
【００２８】
図６、図７に示す取り付け態様では、照明４は、取付フック５と取付金具６を用いて本体部２１に吊り下げられる。取付フック５は、亜鉛とアルミニウム合金メッキの鉄線で構成され、両端部に、本体部２１の格子に引っ掛けるフック５１が設けられ、中央に、取付金具６が取り付けられるとともに取付金具６の移動を規制する段差部５２が設けられている。
【００２９】
取付金具６は、一対の上金具６１、下金具６２、トラスねじ６３を含む。上金具６１は、取付フック５を収容するＵ字部６１１、Ｕ字部６１１に連なる上金具のフランジ部６１２，６１３を含み、上金具のフランジ部６１２，６１３にはトラスねじ６３のねじ穴が夫々設けられている。上金具６１は、１つの下金具６２に対して、２つの上金具６１を間隔をあけてトラスねじ６３で固定して用いる。下金具６２は、照明４を固定するねじ部材（図示せず）を収容する凹部６２１、凹部６２１に連なる下金具のフランジ部６２２，６２３を含み、下金具のフランジ部６２２，６２３の夫々にはトラスねじ６３のねじ穴が２か所設けられている。
【００３０】
＜門扉＞
門扉３は、支柱３１、扉３２を含む。支柱３１は、門柱２と間隔をあけて設置され、下部が地中に埋設されている。支柱３１には、上下２か所に設けられたヒンジ３３を介して、扉３２が接続されている。扉３２は、門柱２の本体部２１を構成する金網と同種の金網で構成されている。扉３２は、門柱２よりも薄い６面体からなり、対向する扉の前面金網３２１及び扉の後面金網３２２、扉の前面金網３２１と扉の後面金網３２２と直交し、かつ、これらの側方の端部に連なる２つの扉の側面金網３２３，３２４、扉の前面金網３２１、扉の後面金網３２２、及び扉の側面金網３２３，３２４と直交し、かつ、これらの上端部に連なる扉の上面金網３２５、扉の前面金網３２１、扉の後面金網３２２、及び扉の側面金網３２３，３２４と直交し、かつ、これらの下端部に連なる扉の下面金網３２６、とを含む。対向する扉の前面金網３２１及び扉の後面金網３２２には、シリンダー錠付きのハンドル３４が設けられている。ハンドル３４は、シリンダー錠を用いない、より簡易なものでもよい。
【００３１】
＜施工方法＞
次に、第１実施形態に係る外構システム１（門柱、門扉）の施工方法について説明する。図９は、第１実施形態に係る外構システム１の施工フローを示す。ステップ０１では、門柱２と門扉３の支柱の設置場所の掘削が行われる（掘削工程）。次に、ステップ０２では、門柱２及び門扉３が設置される（設置工程）。門柱２や門扉３は、工場などの別の場所で製造され、設置場所へ搬入される。次に、ステップ０３では、土が埋め戻され、門柱２及び門扉３の支柱３１が埋設される（埋設工程）。次に、ステップ０４では、門柱２及び門扉３の近傍に植物が植生される（植生工程）。門柱２については、本体部２１の外側近傍の地盤に植物が植生され、門扉３については、支柱３１の近傍の地盤に植物が植生される。なお門柱については、本体部２１の内側の地盤に植物を植生してもよい。
【００３２】
＜効果＞
第１実施形態に係る外構システム１によれば、門柱２と門扉３に同種の金網を用いることで、外構全体の統一性を図りつつ、外構全体を緑化することができる。また、第１実施形態に係る門柱２は、本体部２１が金網で構成されているため、門柱の付属物（表札２２、インターホン２３、ポスト２４、照明４など）の取り付けが容易であり、また、取付位置を自由に選択することができる。また、門柱２は、地中に埋設された本体部２１の下部と、根かせ２５で支持される。そのため、例えば、従来の格子体の側面に支柱が設置される門柱と比較して、植物で覆う領域が制限され難い。換言すると、地表に露出する本体部２１のうち、門柱の付属物が取り付けられる領域以外を植物で覆うことができる。
【００３３】
＜第２実施形態＞
図１０は、第２実施形態に係る門柱の正面図、図１１は、第２実施形態に係る門柱の側面図、図１２は、図１０のＢ−Ｂ断面図を示す。第２実施形態に係る門柱２は、門柱２を単体で用いる点、門柱２をアンカーボルト７で固定する点、植物を育成するための軽量土壌８及び軽量土壌８を覆うマット９を更に含む点で、第１実施形態の門柱２と異なる。以下、第１実施形態との相違点を中心に説明する。第１実施形態と同様の構成については、同一符号を付し、説明を割愛する。なお、第２実施形態に係る門柱２も、第１実施形態に係る門柱２のように、門扉３と共に用いてもよい。
【００３４】
第２実施形態に係る門柱２では、本体部２１が、アンカーボルト７を固定するとともに設置面と接する門柱の下面金網２１６、軽量土壌８を支持し、門柱の下面金網２１６よりもやや高い位置に設けられた門柱の第２下面金網２１７を更に含む。なお、門柱の下面金網２１６に波状の金網を用いて、通気性を確保し、門柱の下面金網２１６で軽量土壌８を支持するようにしてもよい。この場合、門柱の第２下面金網２１７を省略して、門柱２をより簡易な構成とすることができる。
【００３５】
門柱の下面金網２１６の内側には、アンカーボルト７の軸部が貫通するプレート７１が設置されている。プレート７１によりアンカーボルト７が門柱の下面金網２１６に位置決めされている。アンカーボルト７は、軸部が地中に埋設され、門柱２を支持する。
【００３６】
マット９は、本体部２１の内側（水平方向の４面、及び下面）に配置され、充填される植生基盤としての軽量土壌８が側方及び下方から外部に漏れるのを抑制する。第２実施形態では、マット９が、門柱の第２下面金網２１７から３０ｃｍほどの高さに設置されているが、これに限定されない。マット９は、通気性と軽量土壌８を保持する強度を有していればよい。第２実施形態では、マット９にファイバーマットが用いられている。ファイバーマットは、ポリエステルシートと天然椰子繊維からなるシートを張り合わせることで構成されている。なお、ファイバーマットに代えてリサイクルＰＥＴからなるシートやフェルトを用いてもよい。マット９には、複数の切り込みが形成されており、この切り込みから植物の根が軽量土壌８に植えつけられるようになっている。
【００３７】
軽量土壌８は、本体部２１の下部（マット９の内側）に充填され、植えられる植物に対して水分を供給する。第２実施形態では、本発明の植生基盤として保水性に優れた無機質の軽量土壌を用いているが、軽量土壌に代えて既存の他の土壌を用いてもよい。
【００３８】
次に、第２実施形態に係る門柱２の施工方法について簡単に説明する。第２実施形態に係る門柱２では、掘削工程、埋設工程が不要となる。すなわち、門柱２が搬入され、アンカーボルト７で固定される。なお、軽量土壌８に予め植物を植え付けてもよく、この場合、門柱２の設置場所では、植生工程も省略することができる。植生工程は、門柱２の設置場所で行ってもよい。
【００３９】
以上説明した、第２実施形態に係る門柱２は、第１実施形態の門柱２と同じく、本体部２１が金網で構成されているため、門柱の付属物（表札２２、インターホン２３、ポスト２４、照明４など）の取り付けが容易であり、また、取付位置を自由に選択することができる。また、門柱２は、アンカーボルト７で支持される。そのため、例えば、従来の格子体の側面に支柱が設置される門柱と比較して、植物で覆う領域が制限され難い。換言すると、門柱の付属物が取り付けられる領域以外の全てを植物で覆うことができる。
【００４０】
また、第２実施形態に係る門柱２は、例えば、門柱２の設置場所への植物の植生が困難な場合に有用である。門柱２の設置場所への植物の植生が困難な場合には、門柱２から道路境界までの距離が短く植物を植生するスペースの確保が困難な場合、門柱２の設置場所に石が敷き詰められている場合、門柱２の設置場所がコンクリートで構成されている場合が例示される。第２実施形態に係る門柱２は、軽量土壌８及びマット９を更に含むことで、門柱２の設置場所への植物の植生が困難な場合でも、門柱２を緑化することができる。
【００４１】
＜変形例＞
図１３は、変形例に係る門柱の断面図であり、図５や図１２に対応する。変形例に係る門柱２は、第１実施形態に係る門柱２が軽量土壌８とマット９を更に含む構成である。但し、マット９は、第２実施形態と異なり、水平方向の４面に配置され、下方は開放されている。そのため、軽量土壌８は、門柱の設置場所の既存の地盤と連通している。植生基盤が門柱２の設置場所の地盤と連通することで、植物に栄養や水分を供給するための植生基盤のボリュームを増やすことができる。すなわち、植物の生育環境をより向上することができる。
【００４２】
図１４は、変形例に係る門柱の後面図を示す。変形例に係る門柱２は、門柱の後面金網２１２に格子の開口よりも大きい開口部１０を有している。これにより、門柱２の内側へのアクセスが容易となる。その結果、門柱２を設置する際の内側への土の充填、植物の植え付け、植物の手入れなどの作業性が向上する。なお、開口部１０に代えて、本体部２１は、その一部を取り外し自在に構成してもよい。
【００４３】
以上、本発明の実施形態や変形例を説明したが、本発明に係る門柱、門柱を含む外構システム、外構システムの施工方法、門柱の施工方法等は、これらに限られず、可能な限りこれらを組み合わせることができる。
【符号の説明】
【００４４】
１・・・外構システム
２・・・門柱
２１・・・本体部
２２・・・表札
２３・・・インターホン
２４・・・ポスト
２５・・・根かせ
２６・・・配線コイル
２７・・・エルボ
２８・・・ボスとの受板
３・・・門扉
３１・・・支柱
３２・・・扉
３３・・・ヒンジ
３４・・・ハンドル
４・・・照明
５・・・取付フック
６・・・取付金具
７・・・アンカーボルト
８・・・軽量土壌
９・・・マット
１０・・・開口部
【図１】
2018012998.tif 000003
【図２】
2018012998.tif 000004
【図３】
2018012998.tif 000005
【図４】
2018012998.tif 000006
【図５】
2018012998.tif 000007
【図６】
2018012998.tif 000008
【図７】
2018012998.tif 000009
【図８】
2018012998.tif 000010
【図９】
2018012998.tif 000011
【図１０】
2018012998.tif 000012
【図１１】
2018012998.tif 000013
【図１２】
2018012998.tif 000014
【図１３】
2018012998.tif 000015
【図１４】
2018012998.tif 000016